(57)【要約】【課題】  稚貝を自動で正確に、かつ、効率よく計量し、育成篭に分配することを可能とする方法及び装置を提供する。【解決手段】  本方法は、稚貝を水とともに稚貝供給部から稚貝堆積部まで移動させ、稚貝堆積部に堆積した稚貝の少なくとも一部を複数の搬送容器内に移動させて複数の第１の稚貝群に分配し、分配された複数の第１の稚貝群を複数の搬送容器を用いて計量容器への投入部まで搬送し、投入部まで搬送された複数の第１の稚貝群を水とともに搬送容器から計量容器内に移動させて各々が所定量からなる複数の第２の稚貝群に分配し、複数の第２の稚貝群を水とともに計量容器から育成容器に排出することを特徴とする。【選択図】  図２
2011120524.tif 000002
【特許請求の範囲】
【請求項１】
所定量の稚貝を連続的に計量し、複数の育成容器に順次収容するための稚貝計量分配方法であって、
稚貝を水又は海水と共に稚貝堆積部まで移動させ、前記稚貝堆積部において水又は海水と稚貝とを分離することによって稚貝を堆積させる堆積ステップと、
前記稚貝堆積部に堆積した稚貝を複数の第１の稚貝群に分配する分配ステップと、
前記複数の第１の稚貝群を水又は海水とともに移動させて、各々が前記所定量からなる複数の第２の稚貝群に分配する計量ステップと、
前記複数の第２の稚貝群を水又は海水とともに移動させて、前記複数の育成容器に排出する排出ステップと、
を含むことを特徴とする稚貝計量分配方法。
【請求項２】
分配された前記複数の第１の稚貝群を前記計量ステップにおいて前記複数の第２の稚貝群に分配するための位置まで搬送する第１の稚貝群搬送ステップをさらに含むことを特徴とする、請求項１に記載の稚貝計量分配方法。
【請求項３】
分配された前記複数の第２の稚貝群を前記排出ステップにおいて前記複数の育成容器に排出するための位置まで搬送する第２の稚貝群搬送ステップをさらに含むことを特徴とする、請求項１に記載の稚貝計量分配方法。
【請求項４】
前記第１の稚貝群搬送ステップは、分配された前記複数の第１の稚貝群と水とを分離するステップを含むことを特徴とする、請求項２に記載の稚貝計量分配方法。
【請求項５】
前記第２の稚貝群搬送ステップは、分配された前記複数の第２の稚貝群と水とを分離するステップを含むことを特徴とする、請求項３に記載の稚貝計量分配方法。
【請求項６】
分配ステップにおいて分配される前記複数の第１の稚貝群の各々の量が、前記所定量より少ないことを特徴とする、請求項１に記載の稚貝計量分配方法。
【請求項７】
前記稚貝堆積部に堆積した稚貝のうち前記複数の第２の稚貝群として分配されなかった稚貝を水又は海水とともに前記稚貝堆積部に循環させるステップをさらに含むことを特徴とする、請求項１に記載の稚貝計量分配方法。
【請求項８】
前記排出ステップにおいて前記複数の第２の稚貝群が前記複数の育成容器に排出されることは間欠的に行われ、前記複数の育成容器への排出が停止されたときには、前記分配ステップにおける分配及び前記計量ステップにおける分配のいずれか又は両方が停止されることを特徴とする、請求項１に記載の稚貝計量分配方法。
【請求項９】
所定量の稚貝を連続的に計量し、複数の育成容器に順次収容するための稚貝計量分配装置であって、
水又は海水とともに稚貝を内部に取り入れるための第１の開口部と計量された稚貝を内部から搬出するための第２の開口部とを有する、筐体と、
水又は海水を排出するための１つ又は複数の排水口を有し、前記筐体の内部において前記第１の開口部の下方に位置することによって前記第１の開口部から水又は海水とともに前記筐体の内部に取り入れられた稚貝が堆積する、稚貝堆積部と、
各々が１つ又は複数の排水口を有し、前記稚貝堆積部において堆積した稚貝のうちの少なくとも一部を収容することによって稚貝を複数の第１の稚貝群に分配して搬送するための複数の搬送容器と、
前記複数の搬送容器から前記複数の第１の稚貝群が排出される際に、前記複数の搬送容器内に水又は海水を供給するための第１の注水口と、
各々が１つ又は複数の排水口を有し、前記複数の搬送容器から水又は海水とともに排出された前記複数の第１の稚貝群の少なくとも一部を収容することによって前記複数の第１の稚貝群を各々が前記所定量からなる複数の第２の稚貝群に分配するための複数の計量容器と、
前記複数の計量容器を前記第２の開口部を通して前記筐体の外部に搬送するための計量容器搬送装置と、
前記複数の計量容器から前記複数の第２の稚貝群が排出される際に、前記複数の計量容器内に水又は海水を供給するための第２の注水口と、
前記複数の計量容器から水又は海水とともに排出された前記複数の第２の稚貝群を前記複数の育成容器に案内するための案内装置と、
を備えることを特徴とする稚貝計量分配装置。
【請求項１０】
前記筐体は、水平軸線を中心として回転可能な円筒形状を有し、前記複数の搬送容器は、前記筐体の内壁面に固定又は一体化されて、前記筐体の回転によって前記水平軸線を中心とする円の円周上を移動し、前記稚貝堆積部において前記複数の搬送容器に収容された前記複数の第１の稚貝群は、前記円周の上部に達したときに前記複数の搬送容器から前記複数の計量容器に向けて排出されることを特徴とする、請求項９に記載の稚貝計量分配装置。
【請求項１１】
前記複数の計量容器の各々と前記計量容器搬送装置とは、一端が前記複数の計量容器の各々に固定され、他端が前記計量容器搬送装置に固定された連結手段を介して連結されたことを特徴とする、請求項９に記載の稚貝計量分配装置。
【請求項１２】
前記複数の搬送容器から排出された前記複数の第１の稚貝群のうち前記複数の計量容器に収容されなかった稚貝を前記稚貝堆積部に戻すための水又は海水を放出する１つ又は複数の第３の注水口をさらに備えることを特徴とする、請求項９に記載の稚貝計量分配装置。
【発明の詳細な説明】
【技術分野】
【０００１】
本発明は、稚貝を計量するための方法及び装置に関する。より具体的には、本発明は、所定量の稚貝を正確に計量し、計量された稚貝を育成容器に連続的に収容するための方法及び装置に関する。
【背景技術】
【０００２】
ホタテ貝の養殖漁業においては、出荷までに、採苗、中間育成、及び本養殖の作業が行われる。採苗は稚貝を採取する作業であり、採苗ための採苗器が、５〜６月に養殖施設において海中に垂下される。用いられる採苗器は地域によって異なるが、例えば北海道のオホーツク海におけるホタテ貝養殖では、目合いの異なるネトロンネットを重ねて構成されたものが用いられている。採苗器で数ｍｍに成長した稚貝は、７〜８月に採取される。採取された稚貝は、ネット状の育成籠に収容されて海中に垂下される。育成篭は、通常、パールネット篭（いわゆる、座布団篭と呼ばれる）又は丸篭が用いられる。育成篭は、通常、複数個が連続的につなげられて用いられる。この作業は９〜１０月までに数回行われ、これを中間育成という。中間育成された稚貝は、翌年の３〜６月に本養殖が行われる。本養殖は、貝の耳状部に穴をあけ、その穴に通した紐によってロープに固定し、ロープごと養殖施設において海中に垂下することによって行われる。これは耳づり方式と呼ばれる。本養殖は、丸篭を用いて行われる場合もある。成長した貝は、１２〜４月にかけて出荷される。
【０００３】
採苗器から採取された稚貝は、中間育成において育成篭に収容されて海中に垂下される（この作業は、「分散作業」といわれる）が、稚貝の成長に応じて１つの育成篭に収容される稚貝の数を変えることが必要であるため、分散作業は、通常、中間育成の期間を通して２回〜３回行われる。育成篭に収容される稚貝の個数は、例えば、当初は１つの育成篭あたり８０〜１００個程度であり、最終的には１つの育成篭あたり２０〜３０個程度である。本養殖が丸篭を用いて行われる場合には、中間育成を終えた稚貝をさらに１つの育成篭あたり１０個程度収容する作業が行われる。
【０００４】
稚貝を育成篭に収容する作業は、従来、養殖業者の手作業によって行われてきた。通常、この作業は、以下のように行われる。まず、採苗器から採取された稚貝を、海水を入れたタライなどの容器に収容する。次に、計量容器によって、稚貝を１つの計量容器あたり例えば８０〜１００個となるようにタライなどの容器からすくい取る。計量容器には稚貝を通さない程度の大きさの穴が設けられており、稚貝をすくい取ったときに、計量容器に設けられた穴から海水が排出される。最後に、１つの計量容器によってすくい取った稚貝を、１つの育成篭に投入する。すべての稚貝について、この作業を繰り返す。この作業によって育成篭に投入することが必要な稚貝の個数は極めて多く、例えばオホーツク海沿岸における養殖の場合には１シーズンで１，０００万個以上になることもある。したがって、例えば採苗された１，０００万個の稚貝を１つの育成篭あたり１００個に分散する場合は、上述の手作業が、単純計算で１００，０００回程度繰り返されることになる。
【０００５】
このように大量の稚貝を手作業で育成篭に投入する作業は、以下のように、極めて煩雑であるため稚貝を計量分配する作業の効率が低下するという課題が存在する。稚貝は、採苗器から採取されて最初に育成篭に収容される際には、殻長が１０ｍｍ以下である。その後成長して中間育成が終了する時点でも、稚貝の殻長は２５ｍｍ程度である。本発明者らの調査によれば、稚貝の大きさ及び重さは、例えば殻長約９ｍｍの稚貝で厚さ約１．８ｍｍ、重さ約０．１ｇであり、殻長１５ｍｍの稚貝で厚さ約３．２ｍｍ、重さ約０．３ｇである。このように、中間育成の段階では小さく極めて軽い稚貝は、水の表面張力の影響や稚貝の触手によって、あらゆる場所に容易に付着するため、取り扱いに手間がかかる。例えば、容器に入った稚貝を計量容器を用いて計量する際には、タライなどの容器に入れられた稚貝を計量容器ですくったときに作業者の手や計量容器に多くの稚貝が付着するため、付着した稚貝をその都度水で流さなければならない。また、一旦付着した稚貝は、付着後に水を流しても容易に剥がれないことも多い。さらに、稚貝を計量容器から育成篭に投入する際には、計量容器の内部に稚貝が付着して育成篭に投入できないことがあり、付着した稚貝を水で流さなければ正確な計量が不可能となる場合がある。
【０００６】
こうした手作業による計量分配作業の煩雑さを軽減するための従来技術として、これまでに以下に示す技術が提案されてきた。特許文献１及び特許文献２は、所定数の稚貝を順次分配することを目的とした稚貝分配用ホッパ装置及び稚貝分配機を開示する。特許文献１の稚貝分配用ホッパ装置では、ホッパ本体内を満たす海水とともに収容されている稚貝を、搬送ベルトに着脱自在に取り付けられている稚貝計量カップに取り込み、搬送ベルト上端から案内装置を介して稚貝を落下させることによって、養殖篭内に所定量の稚貝を収容する。特許文献２の稚貝分配機は、海水とともに稚貝が収容されたホッパと該ホッパに一部が突入したケーシングとを有し、該ケーシング内が容量調整可能な複数のバケットによって構成されている。ケーシング内部は、海水で満たされている。この装置においては、ホッパとケーシング内のバケットとが開口を介して連通しており、稚貝は、この開口からバケット内に海水とともに取り込まれる。稚貝が収容されたバケットは、ケーシング内を円周方向に進み、ケーシングに設けられたシュート接続口から排出される。稚貝がシュート接続口から排出されるときには、ケーシング内に充満した海水がシュート接続口から流出して、稚貝を押し流すように作用する。
【先行技術文献】
【特許文献】
【０００７】
【特許文献１】特開平７−３１３２０号明細書
【特許文献２】特開平８−１２０９１号明細書
【発明の概要】
【発明が解決しようとする課題】
【０００８】
これらの従来技術には、以下のような課題が存在する。
特許文献１の技術においては、計量カップに取り込まれた稚貝は、上方から自然落下によってシュート内に投入される。しかしながら、上述のように小さく極めて軽い稚貝は表面張力の影響や触手の作用によって計量カップ内に容易に付着し、一旦付着した稚貝は計量カップの開口を下に向けただけでは簡単には剥がれないため、計量された稚貝の一部が計量カップ内に残ってシュートに落下しない可能性がある。特許文献１の図１には、シャワーからシート内に向けられた海水の噴射が記載されているが、この噴射は、計量カップからシュート内に落下した稚貝のぬめりによって生じるシュート内部の詰まりや汚染等を防止するためのものであり、計量カップ内の稚貝を計量カップから排出させるためのものではない。
【０００９】
また、本技術においては、稚貝はホッパ内に海水とともに収容されており、海水中で計量カップに取り込まれ、その後、計量カップの開口縁部と当接する掻き取り手段によって所定量に計量するとしている。しかしながら、海水中を移動する計量カップによって稚貝を取り込む際に、稚貝が海水とともにカップの上部から逃げる可能性がある。また、本技術においては、稚貝を計量するための計量カップによって稚貝をすくい、その稚貝がそのままシュートユニットから育成篭に投入される構成となっている。したがって、計量カップによってすくい取られた稚貝の量が所定量に満たない場合でも、その量がその後の工程で修正されることなく養殖篭に投入される。したがって、養殖篭に投入される稚貝の量が安定せず、量を手作業で補正しようとすると作業効率が低下する可能性がある。なお、ホッパ内においては稚貝が海水中に収容されているが、このように静止液体中に収容された稚貝は、酸素を求めて移動し、その際に稚貝同士の噛み合いが生じる可能性がある。稚貝同士の噛み合いが生じた場合は、複数の稚貝が互いに塊状に集合するため正確な計量ができなくなるとともに、噛み合いに起因する稚貝の損傷が発生するおそれがある。
【００１０】
特許文献２の技術においては、稚貝は、ホッパとケーシングとを連通する開口から海水とともに回転するバケット内に取り込まれるため、バケットごとに一定の量とはならない可能性がある。それにもかかわらず、稚貝は、最初にバケットに取り込まれた量のままシュートまで搬送されて育成篭に投入され、バケットに取り込まれた稚貝の量を後に補正する機構は存在しない。したがって、特許文献１の技術同様、養殖篭に投入される稚貝の量が安定せず、作業効率が低下する可能性がある。また、稚貝をバケットに取り入れるためのホッパの開口と、ケーシング内で回転するバケットの第1仕切部材の第１壁との間に稚貝が挟まれて損傷するおそれがある。
【００１１】
本発明は、上述の従来技術の課題を解決して、稚貝を自動で正確かつ効率よく計量し育成篭に分配することを可能とする方法及び装置を提供することを目的とする。
【課題を解決するための手段】
【００１２】
上記の目的は、本発明に係る稚貝計量分配方法及び装置によって達成される。すなわち、本発明に係る稚貝計量分配方法及び装置は、堆積した稚貝から一定の量の稚貝を取り入れて搬送するための容器と、搬送された稚貝を計量するための容器とを別の構成とし、２段階のステップを経て稚貝を計量することによって、より正確な計量が可能となる。ただし、上述したような稚貝の取り扱いの困難性を解消する必要があるため、複数の段階のステップを経て計量することは、作業を煩雑にするおそれがある。そこで、本発明においては、稚貝の自動計量分配において大きな課題であった、稚貝が容器に付着することによる取り扱いの煩雑さを、稚貝が供給され計量されて育成容器に分配されるまでの工程において稚貝を移動させる必要がある場合には必ず水の流れを介在させることによって克服した。すなわち、本発明に係る方法及び装置は、稚貝の取り扱いの煩雑さと正確な計量の困難さとを同時に解決するものである。
【００１３】
本発明の第１の態様によれば、本発明は、稚貝供給部から供給される稚貝から所定量の稚貝を連続的に計量し、計量された所定量の稚貝を育成容器に順次収容するための稚貝計量分配方法を提供する。本方法は、稚貝を水とともに稚貝供給部から稚貝堆積部まで移動させ、稚貝堆積部において水と稚貝とを分離することによって稚貝を堆積させる堆積ステップと、稚貝堆積部に堆積した稚貝を複数の第１の稚貝群に分配する分配ステップと、複数の第１の稚貝群を水又は海水とともに移動させて、各々が所定量からなる複数の第２の稚貝群に分配する計量ステップと、複数の第２の稚貝群を水又は海水とともに移動させて、複数の育成容器に排出する排出ステップとを含むことを特徴とする。
【００１４】
本方法は、分配された複数の第１の稚貝群を計量ステップにおいて複数の第２の稚貝群に分配するための位置まで搬送する第１の稚貝群搬送ステップをさらに含むことが好ましい。この第１の稚貝群搬送ステップは、分配された複数の第１の稚貝群と水とを分離するステップを含むことが好ましい。また本方法は、分配された前記複数の第２の稚貝群を前記排出ステップにおいて前記複数の育成容器に排出するための位置まで搬送する第２の稚貝群搬送ステップをさらに含むことが好ましい。この第２の稚貝群搬送ステップは、分配された複数の第２の稚貝群と水とを分離するステップを含むことが好ましい。
【００１５】
本方法においては、分配ステップにおいて分配される複数の第１の稚貝群の各々の量は、計量されるべき所定量より少ないことが好ましい。本方法においては、複数の第２の稚貝群として分配されなかった稚貝堆積部に堆積した稚貝の一部を水又は海水と共に稚貝堆積部に循環させるステップをさらに含むことが好ましい。
【００１６】
本方法においては、排出ステップにおいて複数の第２の稚貝群が計量容器から複数の育成容器に排出されることは間欠的に行われることが好ましい。複数の育成容器への排出が停止されたときには、分配ステップにおける分配及び計量ステップにおける分配のいずれか又は両方が停止されることが好ましい。    
【００１７】
本発明の第２の態様によれば、本発明は、稚貝供給部から供給される稚貝から所定量の稚貝を連続的に計量し、計量された所定量の稚貝を育成容器に順次収容するための稚貝計量分配装置を提供するものである。本装置は、水又は海水とともに稚貝を内部に取り入れるための第１の開口部と計量された稚貝を内部から搬出するための第２の開口部とを有する筐体と、水又は海水を排出するための１つ又は複数の排水口を有し、筐体の内部において第１の開口部の下方に位置することによって第１の開口部から水又は海水とともに筐体の内部に取り入れられた稚貝が堆積する、稚貝堆積部と、各々が１つ又は複数の排水口を有し、稚貝堆積部において堆積した稚貝のうちの少なくとも一部を収容することによって稚貝を複数の第１の稚貝群に分配して搬送するための複数の搬送容器と、複数の搬送容器から複数の第１の稚貝群が排出される際に、複数の搬送容器内に水又は海水を供給するための第１の注水口と、各々が１つ又は複数の排水口を有し、複数の搬送容器から水又は海水とともに排出された複数の第１の稚貝群の少なくとも一部を収容することによって複数の第１の稚貝群を各々が所定量からなる複数の第２の稚貝群に分配するための複数の計量容器と、複数の計量容器を第２の開口部を通して筐体の外部に搬送するための計量容器搬送装置と、複数の計量容器から複数の第２の稚貝群が排出される際に、複数の計量容器内に水又は海水を供給するための第２の注水口と、複数の計量容器から水とともに排出された複数の第２の稚貝群を複数の育成容器に案内するための案内装置とを備えることを特徴とする。
【００１８】
本装置においては、筐体は、水平軸線を中心として回転可能な円筒形状を有することが好ましい。この場合には、複数の搬送容器は、筐体の内壁面に固定又は一体化されて、筐体の回転によって水平軸線を中心とする円の円周上を移動するように構成されることが好ましい。稚貝堆積部において複数の搬送容器に収容された複数の第１の稚貝群は、円周の上部に達したときに複数の搬送容器から複数の計量容器に向けて排出される。
【００１９】
本装置においては、複数の計量容器の各々と計量容器搬送装置とは、一端が複数の計量容器の各々に固定され、他端が計量容器搬送装置に固定された連結手段を介して連結されていることが好ましい。
【００２０】
本装置はさらに、複数の搬送容器から排出された複数の第１の稚貝群のうち複数の計量容器に収容されなかった稚貝を稚貝堆積部に戻すための水又は海水を放出する１つ又は複数の第３の注水口をさらに備えることが好ましい。
【００２１】
本発明によれば、稚貝が供給容器から本装置に投入されてから、投入された稚貝が分配されて計量され、育成容器に投入されるまでの間において、搬送容器と計量容器とが別の構成として設けられる。このように構成することによって、計量されるべき量の稚貝が常に計量容器に収容され、正確な計量が可能となる。また、１つの実施形態において、１つの搬送容器に収容される稚貝の量を１つの計量容器に収容される稚貝の量より少なくし、複数の搬送容器のうちの幾つかに収容された稚貝によって１つの計量容器を満たすようにすることによって、搬送容器から排出された稚貝のうち計量容器に収容されない稚貝を少なくすることができるため、より効率的な稚貝の計量が可能となる。
【００２２】
また、本発明によれば、稚貝は、供給容器から水の流れとともに装置の筐体内部における稚貝堆積部に供給される。稚貝堆積部において搬送容器内に収容され、計量容器への投入部まで搬送された稚貝は、水の流れとともに搬送容器から計量容器内に収容される。さらに、計量容器に収容され、案内装置への投入部まで搬送された稚貝は、水の流れとともに計量容器から案内装置を経て育成容器に排出される。このように、少なくとも稚貝がある容器から別の容器に移し替えられるとき、又は、少なくとも稚貝の位置を移動させるときには、稚貝の移動に伴って常に水の流れが存在する。したがって、本発明の方法及び装置によれば、稚貝が容器の壁に付着することを防止することができるため、計量の正確性が向上し、作業の効率が高まる。
【００２３】
本発明によれば、稚貝堆積部に堆積した稚貝は、稚貝の供給と同時に流れ込んだ水が稚貝堆積部に設けられた１つ又は複数の排水口から流出することによって、水と分離される。また、搬送容器によって搬送されるときには、搬送容器に設けられた１つ又は複数の排水口から水が流出する。さらに、計量容器に稚貝が投入されるときには、稚貝と同時に流れ込んだ水が計量容器に設けられた１つ又は複数の排水口から流出する。このように、筐体、搬送容器、及び計量容器のそれぞれに水の排水口を設けることによって容器から水が排出され、容器の内容積すべてを稚貝の収容に利用できるため、１つの搬送容器が搬送する稚貝の量をより多くすることができ作業効率が向上するとともに、正確な計量が可能となる。
【００２４】
また、本発明によれば、搬送容器から計量容器に投入された稚貝のうち計量容器に収容されなかった稚貝は、水の流れとともに筐体の稚貝堆積部に戻り、再び搬送容器によって計量容器への投入部まで搬送される。このような構成とすることによって、稚貝の供給容器から供給された稚貝は、短時間で必ずそのすべてが計量され、育成容器に投入されることになる。したがって、稚貝の生育に悪影響を及ぼす可能性が小さい。
【図面の簡単な説明】
【００２５】
【図１】本発明の１つの実施形態に係る稚貝分配計量装置の外観図である。
【図２】本発明の１つの実施形態に係る稚貝分配計量装置の内部の構造を表す図である。
【図３】本発明の１つの実施形態に係る稚貝分配計量装置の搬送容器を表す図である。
【図４】本発明の１つの実施形態に係る稚貝分配計量装置の計量容器及び無端コンベアを表す図である。
【図５】本発明の１つの実施形態に係る稚貝分配計量装置の計量容器と無端コンベアとの連結部分を示す図である。
【発明を実施するための形態】
【００２６】
以下に、本発明の１つの実施形態に係る稚貝計量分配装置を、図面に基づいて詳細に説明する。図１は、本発明の１つの実施形態に係る稚貝計量分配装置１の外観図であり、図２は、装置１の内部の構成が分かるように示した図である。稚貝計量分配装置１は、上部から稚貝H１が投入される稚貝投入部２０と、下部に稚貝H１の堆積部３５を含む筐体３０と、稚貝堆積部３５に堆積した稚貝H１のうちの一部の稚貝H２を各々が収容して搬送する複数の搬送容器４０と、複数の搬送容器４０の各々によって搬送された稚貝H２のうちの少なくとも一部の稚貝H３を収容する複数の計量容器５０と、複数の計量容器５０を順次搬送する無端コンベア６０と、計量容器５０から落下する稚貝H４を育成容器７０に案内する案内装置６５と、装置１の各所において用いられる水又は海水等の適切な液体（以下「水」という。）を供給するための注水ユニット８０と、これらの装置を載置する架台９０とを備える。
【００２７】
筐体３０は、稚貝投入部２０から水とともに稚貝Ｈ１を取り入れるための第１の開口部３１と、計量された稚貝が収容された計量容器５０を筐体３０の外に搬出するための第２の開口部３２とを有する。筐体３０は、支持体（例えば、回転するローラ９７）により架台９０上に支持され、チェーンなどの駆動部材を介して筐体３０の外部に設けられたモータ１００と連結されており、モータ１００の駆動力によって水平軸線３０Ａを中心として回転可能に構成されている。筐体３０の回転、注水等のオン／オフ、無端コンベア６０の駆動を始めとする装置１の動作は、制御ボックス９５の各種スイッチによって行われる。筐体３０は、図１（ｂ）に示されるように、水平軸線３０Ａと直交する断面の円の直径が、第１の開口部３１を有する端部から筐体３０の中央部に向かって徐々に大きくなり、概ね筐体３０の中央部で最大になり、そこから第２の開口部３２を有する端部に向かって徐々に小さくなる円筒形状を有する。回転可能な筐体３０をこうした形状にすることにより、第１の開口部３１から取り入れられた稚貝及び後述されるように計量容器５０に入りきらなかった稚貝は、筐体３０の回転に伴い筐体３０の傾斜した内壁面に沿って水とともに下方に移動し、最終的には必ず、直径が最大となる中央部付近の下部に堆積することになる。この位置が、稚貝堆積部３５である。
【００２８】
稚貝Ｈ１が投入される稚貝投入部２０の下部には、複数のホース８９のうちの１つによって注水ユニット８０のヘッダ８１とつながれた第１の注水口８２が設けられている。注水口８２からは、ヘッダ８１から送られた水が稚貝投入部２０の内部に供給される。供給された水は、稚貝投入部２０から第１の開口部３１を通り、筐体３０の傾斜した内壁面に沿って、第１の開口部３１より低い場所に位置する稚貝堆積部３５に達する。この水の流れによって、稚貝投入部２０内に投入された稚貝Ｈ１は、稚貝投入部２０及び筐体３０の内壁面に付着することなく稚貝堆積部３５まで移動する。
【００２９】
筐体３０の概ね中央部、すなわち水平軸線３０Ａと直交する断面の円の直径が最大となる部分には、図２に示されるように、その円周全体にわたって、筐体３０の内壁から凹んだ凹部３６が形成されている。図３には、凹部３６の拡大図が示される。筐体３０の外側からみると、凹部３６の位置する部分は、図１（ｂ）に示されるように外壁から外側に突出している。筐体３０に凹部３６を設けたことによって、稚貝が筐体３０内の一定の位置に堆積しやすくなる。凹部３６の形状は、本実施形態においては図３に示されるように断面コの字状であるが、これに限定されるものではい。
【００３０】
図３に示されるように、凹部３６の面３６´には、筐体３０の外部と連通する１つ又は複数の排水口３７が設けられる。凹部３６に設けられた排水口３７は、筐体３０の稚貝堆積部３５に稚貝Ｈ１とともに移動してきた水を筐体３０の外部に排出する排出経路を構成し、凹部３６は、稚貝堆積部３５の一部を構成する。このように構成することにより、稚貝堆積部３５において稚貝と水とを分離して稚貝のみを効率的に堆積させることができる。凹部３６の外面の外側には、少なくとも凹部３６の幅より広い幅のカバー７５を設けることが好ましい。カバー７５は、凹部３６の排水口３７から筐体３０の外に排出された水が周囲に飛び散らないようにする効果を有する。
【００３１】
凹部３６には、図３に示されるように、稚貝堆積部３５に堆積した稚貝Ｈ１のうちの少なくとも一部の稚貝Ｈ２を収容して順次搬送する、カップ状の複数の搬送容器４０が一定間隔で設けられている。搬送容器４０が凹部３６内に設けられることによって、稚貝堆積部３５において凹部３６内に稚貝が堆積するため、稚貝堆積部３５を通過する搬送容器４０が稚貝を収容しやすくなり、その結果、効率的な稚貝の搬送が可能となる。搬送容器４０の数は、特に限定されるものではない。搬送容器４０には、１つ又は複数の排水口４３が設けられており、搬送容器４０内に入った水はこの排水口４３から排出することができる。したがって、１つの搬送容器４０あたりの稚貝の搬送量をより多くすることが可能となる。排水口４３は、図３においては搬送容器４０の一部にのみ設けられているが、搬送容器の他の面にも設けてもよい。搬送容器４０の容積は、搬送容器４０の各々に収容される稚貝Ｈ２の量が、後述される計量容器５０の各々に収容される稚貝Ｈ３の量より少なくなるように設定されることが好ましい。このように設定することによって、搬送容器４０から排出された稚貝Ｈ２のうち計量容器５０に収容されない稚貝を少なくすることができるため、効率的な稚貝の計量が可能となる。搬送容器４０は、図３に示されるように横断面が扇型の形状を有するが、これに限定されるものではなく、稚貝堆積部３５から稚貝Ｈ２を収容し、収容した稚貝を計量容器５０への投入部まで搬送するのに適した形状であればよい。
【００３２】
本実施形態においては、複数の搬送容器４０は、凹部３６の排水口３７が設けられた面３６´、及び／又は、凹部３６の側面３６´´に固定されており、筐体３０が水平軸線３０Ａを中心として回転することによって、水平軸線３０Ａを中心とする円の円周上を移動する。本発明の別の実施形態においては、複数の搬送容器４０が筐体３０の内壁に沿って筐体３０とは独立に回転するように構成することもできる。例えば、凹部３６の面３６´の幅と概ね同一の幅を有し、筐体３０とは独立に水平軸線３０Ａを中心として回転する帯状リングを凹部３６の相当部位に設け、この帯状リングの内壁面に複数の搬送容器４０を固定するようにしてもよい。このような構成の場合には、筐体３０を回転させずに、複数の搬送容器４０が設けられたこの帯状リングを回転させることによって、筐体３０の稚貝堆積部３５に堆積した稚貝Ｈ１を搬送容器４０に収容することができる。ただし、このように帯状リングと筐体３０とが独立に回転する構成とすると、両者の摺動部に稚貝が挟まって損傷するおそれがある。したがって、搬送容器４０は、本実施形態のように、凹部３６に固定又は一体化してこれらとともに回転するように構成されることが好ましい。
【００３３】
複数の搬送容器４０によって搬送された稚貝Ｈ２は、複数の搬送容器４０の各々が筐体３０内部において上部に達したときに、複数の搬送容器４０の各々から、後述する案内部３３に向かって落下する。カバー７５の最上部には、ホース８９の１つによって注水ユニット８０のヘッダ８１とつながれた第２の注水口８３が設けられる。注水口８３からは、ヘッダ８１から送られた水が供給される。注水口８３から供給された水は、凹部３６の排水口３７及び筐体３０内部において上部に達した搬送容器４０の各々の排水口４３を通って、搬送容器４０の内部に入る。この水によって、搬送容器４０内の稚貝Ｈ２は、搬送容器４０が上部に達したときに搬送容器４０の内部に付着して残ることなく、排出される。
【００３４】
搬送容器４０と計量容器５０との間の稚貝落下経路の途中には、図２（ａ）〜（ｃ）に示されるように、上部に達した数個の搬送容器４０から排出された稚貝を計量容器５０の内部に効率的に案内するために、上部及び下部に開口を有し上部の開口が下部の開口より大きくなるように形成された案内部３３が設けられる。案内部３３をこのような形状としても、上述のように搬送容器４０の各々の容量が計量容器５０の各々の容量より小さく設定されており、数個の搬送容器４０の稚貝によって１つの計量容器５０が満たされるようになっているため、搬送容器４０から排出された稚貝が案内部３３に詰まることはない。
【００３５】
装置１には、筐体３０の水平軸線３０Ａに沿って、筐体３０内部から第２の開口部３２を通り筐体３０の外部まで伸びる計量容器搬送装置が設けられる。本実施形態においては、計量容器搬送装置は、水平に設けられた無端コンベア６０である。無端コンベア６０の一方の駆動ローラ６１は、図２に示されるように、筐体３０の内部において、搬送容器４０が移動する平面と第１の開口部３１との間に位置することが好ましい。また、無端コンベア６０の他方の駆動ローラ６２は、筐体３０の外部に設けられることが好ましい。
【００３６】
図４は、無端コンベア６０及び複数の計量容器５０の部分を拡大したものである。図２（ｂ）及び図４に示されるように、無端コンベア６０上には、複数の計量容器５０が所定の間隔で固定される。複数の計量容器５０の各々は、無端コンベア６０の移動に伴って水平軸線３０Ａと平行に図４に示される矢印の方向に移動し、案内部３３の下部開口の真下に位置したときに、数個の搬送容器４０から落下する稚貝の少なくとも一部を収容する（この時点で計量容器５０に収容された稚貝は、稚貝Ｈ３とする）。本実施形態においては、計量容器５０は、底壁及び側壁を有し上面が開放された円柱形状の容器であるが、形状はこれに限定されるものではなく、例えば角柱形状とすることもできる。計量容器５０には、１つ又は複数の排水口５１が設けられている。排水口５１は、搬送容器４０から落下する稚貝Ｈ２とともに計量容器５０内に入った水（この水は、第２の注水口からの水である）を排出するために設けられる。このように、稚貝とともに水が計量容器５０に入り、入った水が１つ又は複数の排水口５１から排出されるように構成することによって、搬送容器４０から落下する稚貝が搬送容器４０及び案内部３３に付着せず、かつ、正確に稚貝を計量することが可能となる。なお、１つ又は複数の排水口５１の大きさ、形状及び個数は特に限定されるものではなく、計量容器５０に入った水を内部に溜めることなく排出させることができるとともに、内部の稚貝が通らないような大きさ、形状及び個数であればよい。また、計量容器５０は、中間育成の段階に応じて必要な大きさ及び個数の稚貝が計量できるように、必要に応じてより大きな計量容器やより小さな計量容器に交換することができる。
【００３７】
図５は、１つの計量容器５０と無端コンベア６０との連結部分を拡大したものである。図５に示されるように、本実施形態においては、計量容器５０は、その底壁と無端コンベア６０とが連結部材を介して連結されている。本実施形態においては、連結部材は板状の連結プレート５２である。連結プレート５２は、その一方の端部５２´が計量容器５０の底壁に固定され、他方の端部５２´´が無端コンベア６０に固定されている。すなわち、連結プレート５２は、無端コンベア６０に対して、両端のうちの一端５２´´が固定され、かつ、他端５２´が自由に動くことができる、「片持ち梁」構成である。このように構成することによって、仮に計量容器５０の底壁又は連結プレート５２の下面と無端コンベア６０との間に稚貝が挟まった場合でも、計量容器５０が無端コンベア６０の折り返し部分（無端コンベア６０が駆動ローラ６２の外周に沿って曲がる部分）に達したときに計量容器５０の底壁又は連結プレート５２の下面と無端コンベア６０の表面とが離れ、挟まった稚貝が排出される。したがって、稚貝の損傷を防止することができる。
【００３８】
本実施形態においては、複数の計量容器５０の各々と無端コンベア６０とを連結する部材は板状体であるが、これに限定されるものではなく、例えば棒状の部材とすることもできる。また、連結プレート５２の一端５２´は、計量容器５０の底壁に固定されているが、この固定位置は、例えば計量容器５０の側壁であってもよい。
【００３９】
搬送容器４０から落下した稚貝のうち、計量容器５０に収容されなかった稚貝は、一部は無端コンベア６０を超えて落下し、一部は無端コンベア６０上に留まることになる。無端コンベア６０上に留まった稚貝を無端コンベア６０上から取り除くために、本実施形態においては、ホース８９のうちの１つによって注水ユニット８０のヘッダ８１とつながれた注水口８４及び８５を設け、これらの注水口から供給される水が無端コンベア６０上の稚貝を流すように構成される。無端コンベア６０を超えて落下した稚貝と、注水口８４及び８５から供給された水によって無端コンベア６０上から流された稚貝は、再び稚貝堆積部３５に堆積することになる。
【００４０】
稚貝Ｈ３を収容した複数の計量容器５０は、無端コンベア６０上を第２の開口部３２に向かって、図４に示される矢印の方向に進む。複数の計量容器５０は、第２の開口部３２から筐体３０の外部に出る前に、無端コンベア６０の上方に設けられたすり切り部３４の下を通過するように構成されることが好ましい。すり切り部３４の下端は、複数の計量容器５０の直上に位置しており、計量容器５０の上端から稚貝がはみ出している場合には、はみ出した稚貝は、すり切り部３４によって計量容器５０から取り除かれる。このように構成することによって、より正確な稚貝の量H４の計量が可能となる。
【００４１】
無端コンベア６０を超えて落下した稚貝、注水口８４及び８５からの水で無端コンベア６０上から流された稚貝、及び計量容器５０からはみ出して取り除かれた稚貝は、筐体３０の内部で落下することになるが、これらの稚貝の一部は、筐体３０の内壁面に付着する可能性がある。内壁面に付着した稚貝を残さず稚貝堆積部３５に戻すために、ホース８９のうちの１つによってヘッダ８１とつながれた注水口８６から供給される水を筐体３０の内部に流すようにすることが好ましい。注水口８６にはヘッダ１０５が設けられ、ヘッダ１０５の複数の注水口の各々にはホース１０６が接続される。これらのホース１０６の一部の先端は、ホース１０６から供給される水が筐体３０の内壁面に沿って流れるような位置に配置される。また、ホース１０６の残りの一部の先端は案内部３３の内部に配置され、ホース１０６から供給される水が案内部３３の内壁に付着した稚貝を流すように構成される。
【００４２】
計量容器５０は、筐体３０に設けられた第２の開口部３２を通って無端コンベア６０の端部の駆動ローラ６２の位置まで達すると、図４に示されるように、無端コンベア６０が駆動ローラ６２の外周に沿って曲がるのにともなって、上端の開口が下方を向く。このときに、計量容器５０内部の稚貝Ｈ４は、案内装置６５内部に排出される。本実施形態においては、ホース８９のうちの１つによってヘッダ８１とつながれた注水口８７及び８８が案内装置６５に設けられており、案内装置６５の内部に向けて水が供給される。注水口８８は、下向きになった計量容器５０の内部に向けて注水口８８からの水が供給されるように構成される。また、注水口８７は、計量容器５０の外壁面及び無端コンベア６０に向けて注水口８７からの水が供給されるように構成される。これらの注水口８７及び８８から供給される水によって、計量容器５０及び無端コンベア６０に付着した稚貝が流されることになる。
【００４３】
計量容器５０から案内装置６５内に排出された稚貝Ｈ４は、案内装置６５の側部に設けられた注水口８７及び８８から放出される水とともに、シュータ６７を通って育成容器７０内に落下する。案内装置６５は、稚貝をシュータ６７に排出するための稚貝排出口を有する稚貝受け部６６と、稚貝受け部６６の稚貝排出口と摺動可能に組み合わされたシュータ６７と、シュータ６７の側部に設けられたレバー６８とを備える。本実施形態においては、シュータ６７は、シュータ６７に固定されたレバー６８を上下させることによって上下し、無端コンベア６０の移動は、この上下動と同期して間欠的に行われるように構成されている。したがって、レバー６８によってシュータ６７を下に降ろすと、それと同時に無端コンベア６０が図４の矢印方向に進んで、その端部に達した計量容器５０が下方に移動し、その後無端コンベア６０が停止する。その結果、計量容器５０内の稚貝H４が案内装置６５内に落下し、シュータ６７の下部開口６９から稚貝Ｈ４が排出される。
【００４４】
シュータ６７の上下動と無端コンベア６０との同期を実現するために、本実施形態においては、例えば以下の機構が用いられるが、同期を実現するための機構はこれらに限定されるものではない。本実施形態においては、無端コンベア６０の裏面に一定間隔で横溝などの凹部（又は凸部）が設けられ、駆動ローラ６２の表面には無端コンベア６０の凹部（又は凸部）と噛み合う凸部（又は凹部）が設けられる。こららの凹部及び凸部の噛み合いによって、無端コンベア６０は、駆動ローラ６２の回転に伴って図４に示される矢印方向に移動する。駆動ローラ６２は、チェーンなどの駆動部材を介してモータ１１０と連結されており、モータ１１０の駆動力によって回転する。駆動ローラ６２には、例えば、互いに１８０°の角度を成すように２か所にカムが設けられ、駆動ローラ６２は、カムスイッチからの信号によって１／２回転で停止するように制御される。稚貝受け部６６には、シュータ６７の上止点及び下止点を検出するリミットスイッチが設けられており、リミットスイッチがレバー６８によって下げられたシュータ６７の下止点を検出すると、駆動ローラ６２は１／２回転して停止する。計量容器５０は、駆動ローラ６２の回転に伴って移動し、案内装置６５内部において開口部が真下を向いて停止する。シュータ６７と稚貝受け部６６とは、例えばバネなどの弾性部材１１１で連結されている。シュータ６７が下止点に達した後、弾性部材１１１の作用によってシュータ６７が戻り、リミットスイッチがシュータ６７の上止点を検出すると、装置１は、稚貝１工程が終了したと認識する。本実施形態に係る本装置１では、無端コンベア６０が停止したときに、無端コンベア６０上の計量容器５０のうちの１つが案内部３３の下部の開口の真下に位置するように、複数の計量容器５０の間隔、無端コンベア６０の長さ及び移動距離が設定されている。
【００４５】
本発明の別の実施形態においては、シュータ６７は、レバー６８を上下させることによって上下し、搬送容器４０の移動（すなわち筐体３０の回転）及び無端コンベア６０の移動が、この上下動と同期して間欠的に行われるように構成することもできる。この構成によれば、シュータ６７を下に降ろしたときに、停止していた無端コンベア６０が進んで、その端部に位置する計量容器５０が下方に移動し、その後再び無端コンベア６０が停止する。その結果、計量容器５０内の稚貝H４が案内装置６５内に落下する。この場合に、無端コンベア６０が停止している状態のときには、筐体３０の回転を停止させ、案内部３３の真下に１つの計量容器５０が位置するように構成されることが好ましい。これは、例えば、リミットスイッチがシュータ６７の上止点を検出した後、一定時間以上経過してもシュータ６７が動作しない場合に、筐体３０を回転させる駆動モータ１００を停止させることによって実現することができる。このように、稚貝Ｈ２が計量容器５０への投入部まで搬送されるタイミングと、稚貝Ｈ２が計量容器５０内に入るタイミングと、稚貝Ｈ４が育成容器７０に排出されるタイミングとが互いに連動するように、筐体３０の回転、複数の計量容器５０の間隔、無端コンベア６０の長さ及び移動距離を制御することによって、稚貝堆積部３５に戻る稚貝の量をできるだけ少なくすることができる。その結果、筐体３０内部で稚貝が落下する際に構成部材の各所に衝突して稚貝が損傷するのを最小限にすることが可能となる。
【００４６】
次に、本発明の１つの実施形態に係る稚貝計量分配装置１を用いて稚貝の計量分配を行う方法を説明する。まず、水の入った容器（稚貝供給部）の稚貝Ｈ１を、装置１の稚貝投入部２０内に水とともに投入する。稚貝投入部２０に投入された稚貝Ｈ１は、装置１の筐体３０に設けられた第１の開口部３１を通り、筐体３０の内壁面の傾斜に沿って、凹部３６の一部を含む稚貝堆積部３５まで移動する。稚貝投入部２０には注水口８２が設けられており、注水口８２から供給された水と、稚貝Ｈ１と一緒に投入された水の流れとによって、投入された稚貝Ｈ１が稚貝投入部２０及び筐体３０の内壁面に付着することなく、稚貝堆積部３５まで移動することが可能になる。
【００４７】
稚貝堆積部３５には、水とともに移動してきた稚貝Ｈ１が堆積する。稚貝堆積部３５において、水は、筐体３０の凹部３６に設けられた１つ又は複数の排水口３７から筐体３０の外部に排出される。すなわち、稚貝堆積部３５では、稚貝投入部２０から投入された稚貝Ｈ１と稚貝投入部２０及び注水口８２からの水とが分離されるため、稚貝堆積部３５、特に凹部３６には、稚貝のみを効率的に堆積させることができる。
【００４８】
稚貝堆積部３５に堆積した稚貝Ｈ１は、筐体３０の回転に伴って回転する複数の搬送容器４０に収容される。複数の搬送容器４０の各々は、筐体３０の回転に伴って順次、稚貝堆積部３５を通過し、その際に、稚貝堆積部３５の凹部３６に堆積した稚貝Ｈ１の少なくとも一部Ｈ２を収容する。このようにして、稚貝Ｈ１は、複数の第１の稚貝群Ｈ２に分配される。
【００４９】
複数の搬送容器４０の各々に収容された複数の第１の稚貝Ｈ２は、筐体３０の回転に伴い、筐体３０の円周に沿って上部まで搬送される。搬送容器４０内には、稚貝堆積部３５において堆積した稚貝のうちの少なくとも一部の稚貝Ｈ２と、稚貝堆積部３５に移動してきた水とが取り込まれることになるが、搬送容器４０に取り込まれた水は、搬送の過程において、搬送容器４０に設けられた１つ又は複数の排水口４３から排出される。
【００５０】
搬送容器４０によって搬送された稚貝Ｈ２は、筐体３０の上部（前述のとおり、筐体３０の上部は計量容器５０への投入部を構成する）に達すると、搬送容器４０から下方に落下する。このとき、稚貝Ｈ２の一部が、水の表面張力及び稚貝の触手の影響によって搬送容器４０の内部の壁面に付着して落下しないおそれがある。これを防止する目的で、注水口８３から水を供給する。この水は、搬送容器４０の排水口４３を通って搬送容器４０の内部に入り、内部に付着した稚貝を排出させる。
【００５１】
注水口８３から供給された水とともに搬送容器４０から落下した稚貝Ｈ２は、筐体３０の水平軸線３０Ａと平行に移動する複数の計量容器５０の１つに収容される。前述のとおり、１つの搬送容器４０に収容される稚貝Ｈ２の量は、１つの計量容器５０に収容される稚貝の量Ｈ３より少なく、１つの計量容器５０は、数個の搬送容器４０の稚貝によって満たされることが好ましい。搬送容器４０から排出された稚貝のうち計量容器５０に入りきらなかった稚貝は、無端コンベア６０上に落下するか、又は、無端コンベア６０を超えて下方に落下することになる。計量容器５０に入った水は、計量容器５０に設けられた１つ又は複数の排水口５１から排出される。このようにして、複数の計量容器５０の各々には、搬送装置４０から落下した稚貝が順次収容されていく。
【００５２】
各々に稚貝Ｈ３が収容された複数の計量容器５０は、無端コンベア６０の移動によって筐体の第２の開口部３２方向に順次移動する。計量容器５０に入った稚貝Ｈ３の量が多い場合に計量容器５０からはみ出している稚貝は、計量容器５０の移動経路上に設けられたすり切り部３４によって取り除かれる。この結果、計量容器５０内には、計量されるべき所定量の稚貝Ｈ４が残る。このようにして、複数の第１の稚貝群Ｈ２は、所定量からなる複数の第２の稚貝群Ｈ４に分配される。なお、稚貝Ｈ２の量が稚貝Ｈ３の量と同じ場合には、複数の第２の稚貝群はＨ３である。稚貝Ｈ４の量は、中間育成の段階に応じて異なり、中間育成の当初は８０〜１００個程度、最終的には２０〜３０個程度である。
【００５３】
搬送容器４０から落下した稚貝のうち計量容器５０に収容されなかった稚貝と、計量容器５０からすり切り部３４によって取り除かれた稚貝は、注水口８４、８５、及び８６から供給される水の流れによって、筐体３０内部を下方に移動して稚貝堆積部３５に堆積し、搬送容器４０によって再び搬送される。
【００５４】
計量容器５０によって筐体３０の第２の開口３２を通り、無端コンベア６０の端部まで搬送された稚貝Ｈ４は、計量容器５０が駆動ローラ６２の外周に沿って下方に移動すると、計量容器５０から下方に落下し、案内装置６５内に投入される。案内装置６５内に投入された稚貝Ｈ４は、注水口８７及び８８から案内装置６５内部に供給される水とともにシュータ６７を通り、育成容器７０に投入される。
【００５５】
以上のようにして、稚貝供給部から供給される稚貝から所定量の稚貝を連続的に計量し、計量された所定量の稚貝を育成容器に順次収容することが可能となる。
【符号の説明】
【００５６】
１  稚貝計量分配装置
２０  稚貝投入部
３０  筐体
３１  第１の開口部
３２  第２の開口部
３３  案内部
３５  稚貝堆積部
４０  搬送容器
５０  計量容器
５２  連結プレート
６０  無端コンベア
６１、６２  駆動ローラ
６５  案内部
６６  稚貝受け部
６７  シュータ
６８  レバー
７０  育成容器
８０  注水ユニット
８２〜８８  注水口
８９  ホース
９０  架台
１００、１１０  モータ
【図１】
2011120524.tif 000003
【図２】
2011120524.tif 000004
【図３】
2011120524.tif 000005
【図４】
2011120524.tif 000006
【図５】
2011120524.tif 000007